(57)【要約】      （修正有）【課題】非選択電圧によって行配線に流れる電流による電力損失を低減する。【解決手段】複数の行配線65〜68に、選択期間では選択電圧を印加し、非選択期間にでは非選択電圧を印加する走査ドライバ2と、上記非選択電圧のレベルが制御される非選択電圧発生部47を備える。この非選択電圧発生部47は、非選択期間において行配線に流れる電流を検出する電流検出部471を含み、この検出電流に応じて上記非選択電位が制御される。これにより、非選択電圧と、非選択期間において電子源69〜84に印加されるデータドライバ5からの駆動電圧との差分が０になるように制御され、非選択の行配線に流れる電流を低減できる。【選択図】図２
2008145554.tif 000002
【特許請求の範囲】
【請求項１】
表示装置において、
第１方向に延びて形成された複数の行配線と、
前記第１方向と直交する第２方向に延びて形成された複数の列配線と、
前記行配線に接続されており、前記複数の行配線のうち選択された第１行配線に対し選択電圧を印加するとともに、前記選択行配線以外の第２行配線に非選択電圧を印加するための走査ドライバと、
前記列配線に接続されており、入力された映像信号に応じた駆動信号を生成して前記列配線に印加するデータドライバと、
前記複数の行配線と複数の列配線とが交差する位置にそれぞれ設けられ、前記走査ドライバからの選択電圧と前記データドライバからの駆動信号とに応じて電子を放出する複数の電子放出素子と、
前記非選択電圧を発生するための非選択電圧発生部と、を備え、
前記非選択電圧発生部からの非選択電圧のレベルが、前記第２行配線に流れる電流に基づき制御されることを特徴とする表示装置。
【請求項２】
請求項１に記載の表示装置において、前記非選択電圧発生部は、前記第２行配線に流れる電流を検出する電流検出部を含み、該電流検出部によって検出された電流に応じて前記非選択電圧のレベルを制御されることを特徴とする表示装置。
【請求項３】
請求項２に記載の表示装置において、前記非選択電圧発生部は、更に所定レベルの基準電圧を発生する基準電圧源を含み、前記電流検出部で検出された電流に基づく検出電圧と前記基準電圧源からの基準電圧との差分によって前記非選択電圧が制御されることを特徴とする表示装置。
【請求項４】
請求項３に記載の表示装置において、前記非選択電圧発生部は、前記検出電圧と前記基準電圧との差分が０となるように前記非選択電圧が制御されることを特徴とする表示装置。
【請求項５】
請求項１に記載の表示装置において、前記電子放出素子は、互いに交差する前記行配線と列配線との間に絶縁層を挟みこんで構成されたＭＩＭ型の電子放出素子であることを特徴とする表示装置。
【請求項６】
請求項１に記載の表示装置において、前記第２行配線に流れる電流がほぼ０となるように前記非選択電圧が制御されることを特徴とする表示装置。
【請求項７】
表示装置において、
画面水平方向に延びて形成された複数の行配線と、
画面垂直方向に延びて形成された複数の列配線と、
前記行配線に接続されており、前記複数の行配線のうち選択された行配線に対し選択電圧を印加するとともに、前記選択行配線以外の行配線に非選択電圧を印加するための走査ドライバと、
前記列配線に接続されており、入力された映像信号に応じた駆動信号を生成して前記列配線に印加するデータドライバと、
前記複数の行配線と複数の列配線とが交差する位置にそれぞれ設けられ、前記走査ドライバからの選択電圧と前記データドライバからの駆動信号とに応じて電子を放出する複数の電子放出素子と、
前記記非選択電圧を制御するための前記非選択電圧発生部と、を備え、
前記電子放出素子は、互いに交差する前記行配線と列配線との間に絶縁層を挟みこんで構成されたＭＩＭ型の電子放出素子であり、
前記非選択電圧発生部は、前記非選択電圧が印加される行配線に流れる電流を検出する電流検出部を含み、該電流検出部で検出された電流に基づいて前記非選択電圧のレベルが制御されることを特徴とする表示装置。
【請求項８】
請求項９に記載の表示装置において、前記非選択電圧発生部は、更に所定レベルの基準電圧を発生する基準電圧源を含み、前記電流検出部で検出された電流に基づく検出電圧と前記基準電圧源からの基準電圧との差分が０となるように、前記非選択電圧が制御されることを特徴とする表示装置。
【請求項９】
請求項８に記載の表示装置において、前記非選択電圧発生部は、更に、時定数回路と、差動増幅器とを含み、
前記電流検出部で検出された電流に基づく検出電圧が前記時定数回路を介して前記差動増幅器の負入力側に入力され、前記基準電圧源からの基準電圧が正入力側に入力され、
該差動増幅器の出力を前記非選択電圧として前記行配線に印加するようにしたことを特徴とする表示装置。
【発明の詳細な説明】
【技術分野】
【０００１】
本発明は、複数の電子放出素子により映像を形成するようにした、電子／電界放出型ディスプレイに関する。
【背景技術】
【０００２】
電子／電界放出型ディスプレイは、複数のマトリクス状に配置された電子放出素子からの電子により蛍光体を励起して発光させ、映像を形成するようにしている。かかる電子／電界放出型ディスプレイはＦＥＤもしくはＳＥＤと呼ばれており、以下では単にＦＥＤと呼ぶこととする。
【０００３】
ＦＥＤにおいては、電子を放出させる（つまり駆動させる）電子放出素子が行単位で画面垂直方向に順次選択され、選択行の電子放出素子には選択電圧が、それ以外の非選択行、つまり駆動させない電子放出素子には非選択電圧が印加される。更に電子放出素子には入力映像信号に基づく駆動信号も印加されており、該駆動信号と選択電圧との電位差により電子放出素子から電子が放出される。
【０００４】
よって、電子放出素子には選択行の電子放出素子に電流が流れることになるが、非選択行の電子放出素子にも上記駆動信号の影響により電流が流れる（以下、このような電流を非選択電流と呼ぶ）場合もある。従って、このような映像の表示に寄与しない非選択電流によって電力損失が生じる。下記の特許文献１及び２には、かかる電力損失を低減するために、上記駆動信号もしくは入力映像信号に応じて非選択電圧を制御することが開示されている。
【０００５】
【特許文献１】特開平９−２３０８１８号公報
【特許文献２】特開２０００−２５０４６９号公報
【発明の開示】
【発明が解決しようとする課題】
【０００６】
上記特許文献１または２は、入力映像信号の情報もしくは駆動信号のデータによって、駆動させない電子放出素子に流れる電流が最小となるように非選択電圧のレベルを決定している。
【０００７】
しかしながら、ＦＥＤは、その製造プロセスによってＦＥＤ毎に電気的特性（例えば入力信号−出力輝度特性）にばらつきがある。また、一つのＦＥＤにおいても、複数の電子放出素子、その電子放出素子に駆動信号及び選択電圧／非選択電圧を与えるための複数の列配線及び行配線のそれぞれについても内部抵抗などの電気的特性にばらつきがある。従って、ＦＥＤ毎、もしくはＦＥＤ内の列配線や行配線毎に非選択電流異なり、よって電力損失も異なる。
【０００８】
更に、上記非選択電流は、非選択行を経由して走査ドライバに流入する。このため、上記電力損失は、電子放出素子、列配線及び行配線の内部抵抗によって生じるのみならず、走査ドライバ内部のスイッチ（選択電圧と非選択電圧を切り換えるためのスイッチ）抵抗でも発生する。
【０００９】
上記特許文献１及び２には、上述のＦＥＤ毎、またはＦＥＤ内の電子放出素子、列配線や行配線毎のばらつき、及び走査ドライバ内部のスイッチ抵抗によって発生する電力損失については考慮されていない。
【００１０】
本発明は、上記課題に鑑みて為されたものであり、その目的は、上記非選択電流による電力損失を低減するのに好適な技術を提供することにある。
【課題を解決するための手段】
【００１１】
上記目的を達成するために、本発明は、上述の非選択電圧のレベルを該非選択電圧が印加される行配線（非選択行）に流れる電流を用いて制御することを特徴とするものである。より詳細には、非選択行に流れる電流を検出するとともに、この検出された電流によって発生された検出電圧と基準電圧との差分が０となるように非選択電圧のレベルを制御するものである。
【発明の効果】
【００１２】
上記本発明の構成によれば、映像の表示に寄与しない非選択電流を低減して電力損失を抑制することができる。
【発明を実施するための最良の形態】
【００１３】
以下、本発明の実施形態について、ＭＩＭ型の電子放出素子を電子源として用いたＦＥＤを例にして、図面を参照しつつ説明する。なお、以下の説明において、同一の符号を持つ要素は同一の動作、機能を有するものとし、重複する説明は省略する。以下の実施例ではＭＩＭ型の電子放出素子を例にして説明するが、カーボンナノチューブ型（ＣＮＴ）、スピント型、表面伝導型（ＳＣＥ）等の電子放出素子にも同様に適用できる。
【００１４】
本実施例は、電子放出素子（電子源）のリーク電流、及び行配線及び列配線間の絶縁抵抗によって生じる表示に寄与しない電力を低減するために、行配線と列配線の電位差をゼロとするものである。そのために本実施例では、非選択行に流れる電流を検出し、これに基づき非選択電圧のレベルを駆動信号のレベルに近づけるように制御することにより、非選択時の行配線と列配線との電位差を０に近づけて非選択電流を０にするものである。これにより、非選択電流と、行配線及び列配線の内部抵抗、行配線と列配線との間の絶縁抵抗、及び走査ドライバのスイッチ抵抗とによって生じる電力損失を低減するものである。更に、製造プロセスによるＦＥＤの各種ばらつきに対応して上記電力損失を電源することを可能にするものである。以下、本実施例について詳細に説明する。
【００１５】
図１から図８は本発明の一実施例を示している。パネル１はＦＥＤ型のパッシブマトリクス方式の表示パネルであり、後述するようにデータ線である列配線と走査電極線である行配線を有している。行配線の一端には、選択電圧及び非選択電圧を行配線に印加するための走査ドライバ２が、列配線の一端には、映像信号に基づく駆動信号を列配線に印加するためのデータドライバ５が接続されている。尚、図１では、パネル１の水平画素数は１２８０×３、垂直画素数は７２０の例を示しており、この場合のデータドライバは４８０出力のＬＳＩを使用すると８個、走査ドライバは１８０出力のＬＳＩを使用すると４個必要となる。図１では、走査ドライバ全体を符号２で示すとともに各走査ドライバＬＳＩを符号３、４で示し、更に、データドライバ全体を符号５で示すとともに各データドライバＬＳＩを符号６、７、８で示している。
【００１６】
パネル１のアノード端子には高圧発生回路９が接続されており、この高圧発生回路９からアノード端子へ、例えば１０ｋＶ程度の高圧が供給される。映像信号はタイミングコントローラ１０に入力され、タイミングコントローラ１０は、入力映像信号に基づき上記選択電圧／非選択電圧の発生タイミングを指示するためのタイミング信号を走査ドライバ２に与える。更に、タイミングコントローラ１０は、入力映像信号に基づき映像のデータをデータドライバ５に供給する。データドライバ５においては、パネル１の１ラインのデータを１水平期間保持し、１水平周期毎にデータを書き換える。走査ドライバ２は、垂直方向にパネル１の行配線を行単位で（例えば１行ずつ）順次選択する。このとき、走査ドライバ２は、ある行を選択するときには当該選択行配線に選択電圧を供給し、それ以外の非選択行配線には非選択電圧を印加する。この選択電圧は例えば１２Ｖであり、非選択電圧は例えば６Ｖと設定してもよい。また選択電圧と非選択電圧は、電圧源４０から供給されており、走査ドライバ２は、この電圧源４０から選択電圧と非選択電圧を上記タイミング信号に応じて適宜切り換えて行配線に供給する。
【００１７】
ある行配線に選択電圧が印加されると、その選択行配線に接続された１行分の電子源は、データドライバ５からの駆動信号に応じて電子を放出する。この電子は、パネル１のアノード端子に加えられた高圧により加速され、電子源と対向して配置された蛍光体に衝突し、電子励起による当該蛍光体が発光する。これにより１水平ラインの映像が表示される。走査ドライバ２は、例えば上から順に１行ずつ行配線を選択し、１フレームの期間において全行配線を選択する。この順次走査により、１フレームの映像が表示される。
【００１８】
パネル１における動作について、図２〜図５を併用してより詳細に説明する。図２はパネル１の詳細を模式的に示している。また、図３は図２におけるパネルの１画素の断面を模式的に示している。図４は１フレームでの走査ドライバ２及びデータドライバ５の駆動波形を模式的に示す波形図である。更に、図５は図３の画素における電圧電流特性の一例を示している。
【００１９】
図２に示されるように、下部ガラス基板６０には、走査ドライバ２と接続された行配線６５〜６８が画面水平方向に延びて複数形成されており、この行配線６５〜６８と直交するように、データドライバ５と接続された列配線６１〜６４が画面垂直方向に延びて形成されている。そして行配線６５〜６８と列配線６１〜６４との交差部には、それぞれ電子源６９〜８４がマトリクス状に配置されている。この電子源６９〜８４に選択電圧と駆動信号が印加されると、電子源に電流８７が矢印の方向（行配線から列配線の方向に）流れる。ここで、後述するが、電子源６９〜８４は行配線６５〜６８と列配線６１〜６４との間に絶縁層を挟みこんだＭＩＭ型の電子源で構成されている。また下部ガラス基板６０と対向するように、蛍光体が配置された上部ガラス基板８５が設けられており、この上部ガラス基板８５の内面には、高圧発生回路９と接続されたメタルバック等の高圧電極８６が設けられている。
【００２０】
走査ドライバ２には、上述した電圧源４０が接続されており、この電圧源４０は、選択電圧を生成するための選択電圧源４６と、後述するリセットパルスを生成するためのリセット電圧源４８と、更に、本実施例の特徴部分であるレベルが可変とされた非選択電圧を生成するための非選択電圧源４７を含んでいる。更に非選択電圧源４７は、後述するように、行配線６５〜６８のうち非選択の行配線に流れる電流を検出するための電流検出回路４７１を含んでおり、この電流検出結果により非選択電圧のレベルが制御される。
【００２１】
尚、行配線６５〜６８の末端に記述した符号Ｎｏ．Ｓ１〜Ｓ７２０は行の番号を、列配線６１〜６４の末端に記述した符号Ｎｏ．１〜Ｎｏ．３８４０は列の番号を、それぞれ表している。
【００２２】
かかる構成において、図４に示されるような波形を持つ駆動電圧、選択／非選択電圧が走査ドライバ２及びデータドライバ５から出力されているとする。例えば２行目（Ｎｏ．Ｓ２）のラインに映像信号を表示する場合は、列配線６１〜６４に所定の輝度情報を持つ駆動電圧（図４ではＶｓｉｇ）が加わり、図４の走査波形２３で示される選択期間（選択電圧が印加される期間）には行配線線６６に選択電圧が印加され選択状態になる。尚、図４において、選択電圧のレベルはＶｔｈで表されており、選択電圧が印加される期間以外の期間は非選択電圧が印加されているものとする。
【００２３】
この選択状態における１列目の列配線と２行目の行配線とが交差する画素の様子を図３に示す。列配線６６には図４に示されたＶｔｈのレベルを持つ選択電圧が印加され、行配線６１にはＶｓｉｇのレベルを持つ駆動電圧が印加されているため、当該配線間には選択電圧と駆動電圧との電位差、たとえば数Ｖ〜１０Ｖの電圧が加わっている。このため、ＭＩＭにおいては、行配線６１と列配線６６との間に挟まれた絶縁物５９を透過するように矢印８７の方向に電流が流れる。この電流８７が流れる事により、絶縁物５９の表面に電子が発生する状態となる。
【００２４】
一方、上部ガラス基板８５の絶縁物５９と対向する位置には蛍光体７３が配置されており、この蛍光体７３と上部ガラス基板８５との間には上述の高圧電極８６が設けられている。この高圧電極８６は、透光性を持つものとする。そして、高圧電極８６には高圧発生回路９からの高圧が印加されているので、上部ガラス基板８５と下部ガラス基板６０との間には、電子を蛍光体７３の方向に加速するための電界が形成される。従って、絶縁物５９の表面の電子が蛍光隊３側へ引っ張られ、電子源から蛍光体７３へ向う電子ビーム８８が形成される。この電子ビーム８８が蛍光体７３を励起することにより、蛍光体７３が発光し、その光は高圧電極８６及び上部ガラス基板８５を通して外部に放出される。蛍光体７３からの発光強度は、電子ビーム８８の電流密度に略比例する。電流密度はＭＩＭ電流８７に比例する為、高輝度発光時にはＭＩＭ電流８７は多く、低輝度発光時にはＭＩＭ電流８７は少なくなり階調表示が可能となっている。
【００２５】
かかる構成のＭＩＭ素子における電圧電流特性の一例が図５に示される。図５において、横軸は、行配線６６と列配線６１の間に加わる電圧（ＭＩＭ素子駆動電圧）であり、縦軸は、ＭＩＭ素子を流れる電流８７である。図５に示された特性１１は、ＭＩＭ素子駆動電圧が６Ｖ付近までは電流値は数１０ｐＡと小さく一定値であり、６Ｖ〜９Ｖ付近で大きく変化している。この電流が大きく変化する区間において、映像信号に応じた画像の階調表示を行う事が出来る。本例においては、６Ｖ付近が、電流特性が急に立ち上がるポイントであり、この電圧を閾値電圧Ｖｔｈと呼ぶ。すなわちＶｔｈ以上で比較的大きな電流が流れるため、この範囲をデータドライバの駆動電圧（Ｖｓｉｇ）として用い、Ｖｔｈ以下の電圧振幅を走査ドライバの選択電圧として用いる。そして、図４の波形２２、２３、２４示す様に、選択電圧を行配線に順次印加することにより順次走査を行い、所定のラインに対応する映像信号を表示することが可能となる。
【００２６】
しかしながら、この単純な順次走査の場合には、図３に示す電子源（特に絶縁体７３）に電荷が蓄積され、残像などが生じるとともに電子源の寿命が短くなる。かかる問題を解消するために、図７に示す様にリセットパルスを、水平走査期間の水平ブランキング期間において各行配線に印加するようにしている。
【００２７】
図７において、行配線Ｓ１〜Ｓ３に対応する波形を波形３５〜３７で示している。期間３８〜４０は行配線Ｓ１〜Ｓ３がそれぞれ選択される選択期間に相当しており、この期間において、電圧Ｖｒｅｆに対してＶｔｈ高い電圧値Ｖｓｅｌを持つ選択電圧が印加される。すなわち、選択期間と選択電圧のパルス幅は等しい。一方、リセットパルス発生期間は期間４１で示されており、例えば水平ブランキング期間に設けられる。かかる期間４１に、電圧Ｖｒｅｆより低い電圧Ｖｉｎｖをもつリセットパルスが各行配線に印加される。Ｖｉｎｖの電位は、例えば駆動電圧Ｖｓｉｇの最小値（Ｖｒｅｆ−（Ｖｓｉｇのｐ−ｐ値に相当する電圧値））に設定される。
【００２８】
期間４１では、電子源の駆動電圧は黒相当（＝Ｖｒｅｆ）であり、かつリセットパルスのレベルは上述のように電圧Ｖｒｅｆより低くなっている。このため、期間４１において、電子源には、選択期間である期間３８〜４０に加えられる電位とは逆方向の電位が加えられる。すなわち、期間４１では、リセットパルスによって当該電子源に逆バイアスが加えられる状態となるため、電子源に蓄積された電荷の引抜かれ、上述の残像が低減されるとともに、電子源の長寿命化が図れる。
【００２９】
このような構成のＭＩＭ型の電子源における電力損失について以下に説明する。ＦＥＤの行配線及び列配線が理想的に構成されて絶縁抵抗が無限大の場合には図５に示されたＶｔｈ以下の電圧が電子源に印加されても素子電流は略ゼロとなる。しかしながら、絶縁抵抗が低い場合には、例えば図８に示されるような電圧電流特性となる。この図８は、正の駆動電圧のみならず、負の駆動線圧に対する特性も示している。
【００３０】
このような特性を持つ電子源を備えたＦＥＤに、例えば図６に示されるような黒色背景に白色ウィンドウ３２を表示するものとする。このとき、白色ウィンドウ３２に対応する電子源には駆動電圧Ｖｓｉｇが加えられている場合、領域３１に対応する電子源には、非選択電圧が印加されていても図８の点１３で示す電圧が加わることになる。このため、当該電子源にはおよそ０．１μＡ／画素の非選択電流がリーク電流として流れる。白色ウィンドウ３２の垂直方向の長さが画面の１／４程度の場合、非選択電流は１２８０×３×７２０／４＝６９ｍＡとなり、非選択電位を６Ｖに設定した場合、０．４１４Ｗ程度の電力を消費することになる。このように、図８に示されるような理想的でない電圧電流特性を持つＭＩＭ型電子源の場合は、映像の表示に寄与しない非選択電流（リーク電流）が大きくなり、電力損失も大きくなる。
【００３１】
本実施例は、このような電力損失を低減するために、非選択電圧を下げることにより非選択電圧と駆動電圧との電位差を小さくして上記非選択電流を低減するものである。具体的には、非選択電圧が印加される行配線に流れる電流に応じて非選択電圧のレベルを制御するようにしており、その詳細について以下に説明する。
【００３２】
図９は、本実施例の特徴部分である非選択電圧源４７と走査ドライバ２の一具体例を示すものであり、図７に示した走査波形と図８の点１３の動作点を自動的に調整するための構成を備えている。図９において、走査ドライバ２は、図１に示されたタイミングコントローラからのタイミング信号を受け取り、線順次走査を行うための制御パルスを生成する制御ロジック部４５を含んでいる。制御ロジック部４５は、上記タイミング信号に応じて制御パルスを生成してスイッチ素子４９〜５２に供給する。
【００３３】
上記スイッチ素子４９〜５２は、各行配線Ｎｏ．Ｓ１〜７２０にそれぞれ対応して設けられており、選択電圧源４６からの選択電圧Ｖ３と、非選択電圧源４７からの非選択電圧と、リセットパルス用電圧源４８からの電圧Ｖ１とを切り換える。ここで、選択電圧Ｖ３は、上述のＶｓｅｌと等しく、また電圧Ｖ１は上述のＶｉｎｖと等しくされている。
【００３４】
上記スイッチ素子４９〜５２における切り換えタイミングは、線順次走査が行われるように、制御ロジック４５からの制御パルス５によって制御される。例えば行配線Ｎｏ．Ｓ１が選択される場合は、スイッチ素子４９は選択電圧源４６からの選択電圧を選択するように制御されるとともに、他のスイッチ素子５０〜５２は、非選択電圧源４７からの非選択電圧を選択するように制御される。次の選択期間では、行配線Ｎｏ．Ｓ２を選択するために、この行配線Ｎｏ．Ｓ２に接続されるスイッチ素子５０は選択電圧源４６からの選択電圧を選択するように制御されるとともに、他のスイッチ素子４９、５１〜５２は、非選択電圧源４７からの非選択電圧を選択するように制御される。また水平ブランキング期間のタイミングでは、各スイッチ素子４９〜５２はリセットパルス用電圧源４８からの電圧を選択するように制御される。
【００３５】
上記走査ドライバ２に非選択電圧を供給するための非選択電圧源４７は、電流検出部である抵抗器４７１、差電圧増幅回路４７２、時定数回路４７３、差動増幅器４７４、及び基準電源４７５を含んでいる。抵抗器４７１は、各スイッチ素子４９〜５２の非選択電圧が供給される端子に接続されており、非選択期間においては、非選択電流（リーク電流）によって抵抗器２７１の両端に電位差が発生する。この電位差は、差電圧増幅回路４７２で検出されて増幅され、所定の時定数を有する時定数回路４７３を介して差動増幅器４７４の負入力端子へ入力される。ここで、時定数回路４７３の時定数は、非選択電位の変動による映像の輝度変化が、ユーザに視覚的に認識され難くするように設定することが好ましい。映像信号は１フレーム周期で変化するので１フレーム周期で非選択電圧を変動させると上記輝度変化が認識されやすくなる。従って、時定数回路４７３の時定数は少なくとも数フレーム周期（1/30秒）とすることが好ましい。また、時定数が長すぎると応答性が低下するので、時定数の最大値は１秒程度が好ましい。
【００３６】
一方、差動増幅器４７４の正入力端子には、基準電圧源４７５からの基準電圧Ｖ２が供給されている。ここで、基準電圧Ｖ２は、上述のＶｒｅｆと等しいものとする。そして差動増幅器４７４は、基準電圧Ｖ２と時定数回路４７３からの出力とに基づいて、上記抵抗器４７１の両端電圧が０となるような電圧を非選択電圧として生成して出力する。このようにして、非選択電圧のレベルが検出された非選択電流に応じて制御される。かかる構成により、非選択電圧と非選択期間において電子源に印加される駆動電圧との差分が０、すなわち非選択電流が０に近づくように非選択電圧が制御される、その結果、非選択電圧源４７からの平均電流は略０となり、非選択期間における発光（映像の形成）に寄与しない電力を低減する事が可能となる。
【００３７】
ここで、上記構成による非選択電圧制御の態様の一例を説明する。上記抵抗器４７１に走査ドライバ２側から差動増幅器４７４側に電流が流れる場合は、差動増幅器４７４の出力電圧の方が走査ドライバ２側より高いので、非選択電圧のレベルを低下するように制御される。すなわち、差動増幅器４７４は、基準電圧Ｖ２から抵抗器４７１の両端電圧を減算するように動作する。逆に、抵抗器４７１に差動増幅器４７４側から走査ドライバ２側に電流が流れる場合は、差動増幅器４７４の出力電圧の方が走査ドライバ２側より低いので、非選択電圧のレベルを上昇するように制御される。すなわち、差動増幅器４７４は、基準電圧Ｖ２から抵抗器４７１の両端電圧を加算するように動作する。
【００３８】
このように、本実施例では、非選択電圧が供給される行配線に流れる電流を検出して非選択電圧を制御しているので、上述の製造プロセスによるＦＥＤの電気的特性のばらつきに対応して、電力損失を低減するために好適な非選択電圧を得ることができる。また、スイッチ素子のスイッチング抵抗も考慮して電力損失を低減できる。更にこのような電気的特性のばらつきだけでなく、電気的特性の経時変化に対応して好適な非選択電圧を得ることもできる。
【産業上の利用可能性】
【００３９】
本発明は、複数の電子放出素子により映像を形成するようにしたＦＥＤにおいて、非選択期間における電力損失を低減するのに好適に利用され得る。また、ＦＥＤのみならず、有機ＥＬを用いた表示装置等、映像表示に寄与しない電流によって電力損失が生じる表示装置においても、同様に本発明を利用することができる。
【図面の簡単な説明】
【００４０】
【図１】本発明が適用されるＦＥＤの一例を示す図
【図２】本発明が適用されるＦＥＤの詳細を示す図
【図３】ＦＥＤの動作を説明するための図
【図４】動作波形説明図
【図５】ＭＩＭ型電子源の電気的特性の一例を示す図
【図６】表示画面の一例を示す図
【図７】本発明の一実施例に用いられる動作波形の一例を示す図
【図８】ＭＩＭ型電子源の電気的特性の他の例を示す図
【図９】非選択電圧源の一実施例を示す図
【符号の説明】
【００４１】
１…パネル、２…走査ドライバ、５…データドライバ、９…高圧発生、１０…タイミングコントローラ、４６…選択電圧源、４７…非選択電圧源、６１〜６４…列配線、
６５〜６８…行配線、６９〜８４…電子源。
【図１】
2008145554.tif 000003
【図２】
2008145554.tif 000004
【図３】
2008145554.tif 000005
【図４】
2008145554.tif 000006
【図５】
2008145554.tif 000007
【図６】
2008145554.tif 000008
【図７】
2008145554.tif 000009
【図８】
2008145554.tif 000010
【図９】
2008145554.tif 000011